(57)【要約】      （修正有）【課題】紙板を接着する工程を省略し、原料を省略することができ、製造コストを減少することができる紙箱の分層構造を提供する。【解決手段】紙箱の分層構造は、内箱１００、トレイ２００及び外蓋３００を含む。内箱は、第１開口１１０を有し、第１開口の内縁に段差面１１１を形成する。トレイの外縁に凸縁２２１を形成し、トレイは、第１開口に設置され、且つその凸縁は、段差面により支持される。外蓋は、第２開口３１０を有し、第２開口は、第１開口と相対して被さり合い、外蓋が第１開口を遮蔽し、且つ内箱の外側面を覆う。段差面を内蓋に一体形成し、紙箱の分層構造の工程及び原料を削減し、その製造コストを減少させる。【選択図】図１
0003186429.tif 000002
【実用新案登録請求の範囲】
【請求項１】
第１開口を有し、第１開口の内縁に段差面を形成する内箱と、外縁に凸縁を形成し、該第１開口に設置され、且つ該凸縁は、段差面により支持されるトレイと、
第２開口を有し、該第２開口が第１開口と相対して被さり合い、該第１開口を遮蔽し、且つ内箱の外側面を覆う外蓋と、
を含むことを特徴とする紙箱の分層構造。
【請求項２】
前記内箱側面の四隅にそれぞれ第１面取り角を有することを特徴とする請求項１に記載の紙箱の分層構造。
【請求項３】
前記外蓋側面の四隅にそれぞれ第２面取り角を有することを特徴とする請求項２に記載の紙箱の分層構造。
【請求項４】
前記第１面取り角の半径が前記第２面取り角の半径より大きいことを特徴とする請求項３に記載の紙箱の分層構造。
【請求項５】
前記内箱の側壁が外向きに抜き勾配を形成する請求項１に記載の紙箱の分層構造。
【請求項６】
前記抜き勾配の角度が１度〜２度の間に介することを特徴とする請求項５に記載の紙箱の分層構造。
【請求項７】
前記トレイの実体厚さが１ｍｍ〜１.５ｍｍの間に介することを特徴とする請求項１に記載の紙箱の分層構造。
【請求項８】
前記凸縁の幅が１.５ｍｍ〜２ｍｍの間に介することを特徴とする請求項７に記載の紙箱の分層構造。
【請求項９】
前記トレイが通孔を貫通開設することを特徴とする請求項１に記載の紙箱の分層構造。
【考案の詳細な説明】
【技術分野】
【０００１】
本考案は、紙箱に関し、特に、紙箱の分層構造に関する。
【背景技術】
【０００２】
紙箱は、日常生活において、経常的に使用する物品であり、大多数の商品は、何れも紙箱で包装され、特に、携帯電子製品は、ほとんどが必然的に紙箱の包装を採用している。
市場の多くの電子製品は、何れも本体及び備品を含み、梱包に便利である為、一般は、紙箱内を複数の空間に仕切り、それぞれ本体及び備品を包装する。携帯電話を例とし、その複数の仕切りが上下二層であり、上層が本体を包装し、下層が備品を包装する。
一般の仕切り手段は、紙箱内に１つのトレイ(tray)を置き、本体を包装し、紙箱の内壁に階段を設け、トレイの周縁を支える。周知の紙箱は、２層より多くの紙板が互に調合して形成され、二層の紙板の辺縁に段差を配置し、階段を構成する。従来技術の欠陥は、二層紙板の材料準備及び貼合工程は、何れも余計なコストの消費を発生する。
【０００３】
これに鑑みて、本考案者は上記の従来技術に対し、特に、研究に専念し、学理の運用を合わせ、上記の問題点の解決に尽力し、それが本考案者の改良の目標となっている。
【先行技術文献】
【特許文献】
【０００４】
【特許文献１】特開２００２−３０２１７１号公報
【考案の概要】
【考案が解決しようとする課題】
【０００５】
本考案の目的は、トレイを内に置く紙箱の文層構造を提供することにある。
【課題を解決するための手段】
【０００６】
上記目的を達成する為、本考案は、紙箱の分層構造を提供し、それは、内箱、外蓋及びトレイを含む。内箱は、第１開口を有し、第１開口の内縁に段差面を形成する。トレイの外縁に凸縁を形成し、トレイは、第１開口に設置され、且つその凸縁は、段差面により支持される。外蓋は、第２開口を有し、第２開口は、第１開口と相対して被さり合い、外蓋が第１開口を遮蔽し、且つ内箱の外側面を覆う。
【０００７】
好ましくは、前記紙箱の分層構造は、その内箱側面の四隅にそれぞれ第１面取り角を有する。
好ましくは、前記紙箱の分層構造は、その外蓋側面の四隅にそれぞれ第２面取り角を有する。
好ましくは、前記紙箱の分層構造は、その第１面取り角の半径が第２面取り角の半径より大きい。
【０００８】
好ましくは、前記紙箱の分層構造は、その内箱の側壁が外向きに抜き勾配を形成する。
好ましくは、前記紙箱の分層構造は、その抜き勾配の角度が１度〜２度の間に介する。
【０００９】
好ましくは、前記紙箱の分層構造は、そのトレイの実体厚さが１ｍｍ〜１．５ｍｍの間に介する。
好ましくは、前記紙箱の分層構造は、その凸縁の幅が１．５ｍｍ〜２ｍｍの間に介する。
好ましくは、前記紙箱の分層構造は、そのトレイが通孔を貫通開設する。
【考案の効果】
【００１０】
本考案の紙箱の分層構造は、その内箱内縁が段差面を一体に成型して形成し、トレイを支持する。従来技術に比較し、紙板を接着する高低を省略し、原料を減少することができ、製造コストを減少することができる。
【図面の簡単な説明】
【００１１】
【図１】本考案の好適実施例の紙箱の分層構造の分解説明図である。
【図２】本考案の好適実施例の紙箱の分層構造の横方向断面図である。
【図３】図２中の紙箱の分層構造の局部拡大図である。
【図４】本考案の好適実施例の紙箱の分層構造の縦方向断面図である。
【図５】図４中の紙箱の分層構造の局部拡大図である。
【考案を実施するための形態】
【００１２】
本考案の紙箱の分層構造の実施例を図面に沿って説明する。
図１〜図３を参照して説明すると、本考案の好適実施例が提供する紙箱の分層構造は、内箱１００、外蓋３００及びトレイ２００を含む。本実施例において、内箱１００は、好ましくは、矩形の開口を呈する箱体であり、好ましくは、鋳型にパルプを注入して鋳造成型し、底板１０１世帯４つの第１側板１０２を有する。
底板１０１は、矩形を呈し、４つの第１側板１０２は、相互に接続して底板１０１を囲い、各第１側板１０２は、それぞれ実質上底板１０１の四辺に垂直に接続し、これにより、４つの第１側板１０２の間に第１開口１１０を形成する。任意の２つの互いに連なる第１側板１０２の互いに連なる辺上に第１面取り角１０３を形成する。また、第１開口１１０の内縁に更に段差面１１１を形成する。
【００１３】
図４、図５を参照して説明すると、４つの第１側板１０２は、好ましくは、それぞれ底板１０１の各辺から僅かに外向きに傾斜し、抜き勾配Ａを形成し、その抜き勾配Ａの角度は、好ましくは、１度〜２度の間に介する。
【００１４】
図１、図４、図５を参照して説明すると、本実施例において、トレイ２００は、好ましくは、矩形の盤体を呈し、好ましくは、鋳型にパルプを注入して鋳造成型され、載置板２１０、及び載置板２１０を囲う環壁２２０を有する。載置板２１０は、矩形を呈し、載置板２１０は、通孔２１１を貫通開設する。環壁２２０は、載置板２１０の四辺に接続し、且つ環壁２２０の外縁に凸縁２２１を形成する。
【００１５】
トレイ２００は、第１開口１１０を設置し、且つその凸縁２２１は、段差面１１１により支持され、載置面２１０及び環壁２２０の実体厚さＴは、１ｍｍ〜１.５ｍｍの間に介し、且つ凸縁２２１の幅Ｄは、好ましくは、１.５ｍｍ〜２ｍｍの間に介し、これにより、トレイ２００に対し、十分な支持力を提供する。更に、通孔２１１により使用者に手指を挿入させ、箱体１００中からトレイ２００を取り出させる。
【００１６】
図１〜図４を参照して説明すると、本実施例において、外蓋３００は、好ましくは、矩形の開口を呈する蓋体であり、蓋板３０１及び４つの第２側板３０２を有する。蓋板３０１は、矩形を呈し、４つの側の第２側板３０２は、相互に接続して蓋板３０１を囲い、且つ各第２側板３０２は、それぞれ実質上垂直に蓋板３０１の四辺に接続し、これにより、４つの第２側板３０２の間に第２開口３１０を形成する。且つ任意の２つの互いに連なる第２側板３０２の互いに連なる辺上に第２面取り角３０３を形成し、好ましくは、前記第１面取り角１０３の半径は、第２面取り角３０３の半径より大きい。第２開口３１０及び第１開口１１０は、相対して被さり合い、これにより、蓋板３０１に該第１開口１１０を遮蔽させ、且つ４つの側の第２側板３０２がそれぞれ４つの第１側板１０２の外側を覆う。
【００１７】
本考案の実施例は、内箱１００の第１開口１１０の内縁一体に成形するように段差面１１１を形成し、トレイ２００を支持する。従来技術に比較し、二層の紙板を互いに畳む方式で階段を形成し、本考案の構造は、紙板を接着する工程を省略でき、原料を減少し、従って、本考案の紙箱の分層構造は、そのコストが従来技術より更に低くなっている。
【００１８】
また、本考案の実施例の紙箱の分層構造は、その内箱１００の第１面取り角１０３の半径は、外蓋３００の第２面取り角３０３の半径より大きい。内箱１００及び外蓋３００が被さり合う時、第１面取り角１０３は、第２面取り角３０３内側に位置する。これにより、第１側板１０２及び第２側板３０２の間に間隔を形成し、使用者に内箱１００及び外蓋３００を押させ、分離させることができる。
【００１９】
また、内箱１００の各第１側板１０１は、外に傾き、抜き勾配Ａを形成し、これにより、内箱１００の成型後の剥離動作に有利であるだけでなく、内箱１００及び外蓋３００の間の摩擦力を減少させ、内箱１００及び外蓋３００を容易に分離させる。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
１００  内箱
１０１  底板
１０２  第１側板
１０３  第１面取り角
１１０  第１開口
１１１  段差面
２００  トレイ
２１０  載置板
２１１  通孔
２２０  環壁
２２１  凸縁
３００  外蓋
３０１  蓋板
３０２  第２側板
３０３  第２面取り角
３１０  第２開口
Ａ  抜き勾配
Ｄ  幅
Ｔ  実体厚さ
【図１】
0003186429.tif 000003
【図２】
0003186429.tif 000004
【図３】
0003186429.tif 000005
【図４】
0003186429.tif 000006
【図５】
0003186429.tif 000007